(57)【要約】【課題】外径サイズの異なる各種のケーブルに対して容易に装着させることができ、高い防水性を確保することが可能な防水キャップを提供する。【解決手段】ケーブル１２の端部に被せられてケーブル１２の端部を防水する防水キャップ１１であって、伸縮性を有する弾性材料から形成され、ケーブル１２の端部が嵌め込まれる封止凹部２１と、封止凹部２１から続く側面２２を有し、側面２２が折り返されていて、折り返し位置２３が封止凹部２１の開口端となっていて、折り返し位置２３が、当該防水キャップ１１の長さ方向に変わり得る。【選択図】図１
0003169863.tif 000002
【実用新案登録請求の範囲】
【請求項１】
ケーブルの端部に被せられて前記ケーブルの端部を防水する防水キャップであって、
伸縮性を有する弾性材料から形成され、
前記ケーブルの端部が嵌め込まれる封止凹部と、前記封止凹部から続く側面を有し、
前記側面が折り返されていて、折り返し位置が前記封止凹部の開口端となっていて、前記折り返し位置が、当該防水キャップの長さ方向に変わり得ることを特徴とする防水キャップ。
【請求項２】
請求項１に記載の防水キャップであって、
フタル酸エステルの含有量が０．１重量％未満である弾性材料から形成されていることを特徴とする防水キャップ。
【請求項３】
請求項１または２に記載の防水キャップであって、
折り返された前記側面が巻き込まれていることを特徴とする防水キャップ。
【考案の詳細な説明】
【技術分野】
【０００１】
本考案は、ケーブルの端部に装着されてケーブルの端部を防水する防水キャップに関する。
【背景技術】
【０００２】
被覆電線等のケーブルの端部に装着され、水の浸入や湿気による電線の劣化を防ぐキャップとして、弾性を有するゴムまたはプラスチックからなり、有底円筒体の内周面に、筒心軸線方向に間隔を置いて複数のリング状の突起部を形成するものが知られている（例えば、特許文献１，２参照）。また、電線の端末部を絶縁防護する防護具も知られている（例えば、特許文献３参照）。
【先行技術文献】
【特許文献】
【０００３】
【特許文献１】特許第３０９８４４４号公報
【特許文献２】実公昭４８−１５３２２号公報
【特許文献３】実公昭４９−１５７６０号公報
【考案の概要】
【考案が解決しようとする課題】
【０００４】
上記特許文献１，２のキャップは、キャップリングがケーブルの外周面に密着することによって防水性を確保する構造であるので、キャップリングの内径が小さすぎるとケーブルへの装着が困難となる。また、キャップリングの内径が大き過ぎると防水性が確保できなくなる。したがって、外径が異なるケーブルに対しては、キャップリングの内径が異なる各種のキャップを用意しておき、ケーブルの外径よりも内径が僅かに小さいキャップリングを有するキャップを選択して用いなければならなかった。また、ケーブルの外周面に対してリング状のキャップリングを接触させて防水性を確保する構造では、十分な防水性を得ることが難しかった。
【０００５】
また、特許文献３のキャップは、内側に放射状に設けられた内壁がケーブルの外周面に密着し、ケーブルの外周面との摩擦でケーブルの端部に装着される構造を有しているが、このように放射状に形成された内壁では、ケーブルとの防水性を確保することは困難であった。
【０００６】
そこで、本考案の目的は、外径サイズの異なる各種のケーブルに対して容易に装着させることができ、高い防水性を確保することが可能な防水キャップを提供することにある。
【課題を解決するための手段】
【０００７】
上記課題を解決することのできる本考案に係る防水キャップは、ケーブルの端部に被せられて前記ケーブルの端部を防水する防水キャップであって、
伸縮性を有する弾性材料から形成され、
前記ケーブルの端部が嵌め込まれる封止凹部と、前記封止凹部から続く側面を有し、
前記側面が折り返されていて、折り返し位置が前記封止凹部の開口端となっていて、前記折り返し位置が、当該防水キャップの長さ方向に変わり得ることを特徴とする。
【０００８】
本考案の防水キャップにおいて、フタル酸エステルの含有量が０．１重量％未満である弾性材料から形成されていることが好ましい。
【０００９】
本考案の防水キャップにおいて、折り返された前記側面が巻き込まれていることが好ましい。
【考案の効果】
【００１０】
本考案の防水キャップは、当該キャップの内径よりも大きい外径のケーブルの端部に凹部の開口端を当てて、キャップ側面の折り返しを戻しながらケーブルの端部に被せるものである。キャップは伸縮性を有する弾性材料でできていてその弾性力によりキャップの内面とケーブルの外周面とが密着するので確実に防水できる。キャップの折り返し位置が変わり得るので、キャップ側面の折り返しを戻すことも円滑にできる。本発明の防水キャップは伸縮性があるので一つのサイズのもので、複数の外径サイズのケーブルの端部に装着することがでる。
【図面の簡単な説明】
【００１１】
【図１】本考案に係る防水キャップの実施形態例を示し、ケーブル端部への装着前の断面図である。
【図２】ケーブル端部へ装着された防水キャップの断面図である。
【図３】変形例に係る防水キャップのケーブル端部への装着途中の断面図である。
【考案を実施するための形態】
【００１２】
以下、本考案に係る防水キャップの実施形態の例について図面を参照して説明する。
図１に示すように、本実施形態に係る防水キャップ１１は、ケーブル１２の端部に装着されるものである。この防水キャップ１１が装着されるケーブル１２は、例えば銅または銅合金等からなる導体を樹脂からなる外被で覆った絶縁ケーブルである。
【００１３】
防水キャップ１１は、その中心に封止凹部２１を有しており、この封止凹部２１に、ケーブル１２の端部が嵌め込まれる。防水キャップ１１は、封止凹部２１から続く側面２２を備えている。この側面２２は、折り返し位置２３で折り返された状態とされている。折り返し位置２３は、封止凹部２１の開口端となっている。
【００１４】
防水キャップ１１は、伸縮性を有する弾性材料から形成されたものであり、特に、伸縮性に優れたゴム等の弾性材料から形成するのが好ましい。この防水キャップ１１を形成する弾性材料としては、例えば、エチレン酢酸ビニル共重合体、エチレンアクリル酸エチル共重合体、オレフィン系エラストマー、ウレタン系エラストマー、ポリアミド系エラストマー、ポリエステル系エラストマー、スチレン系エラストマー、エチレンプロピレンゴム、アクリルゴム、ニトリルゴム、エピクロルヒドリンゴム、クロロプレンゴム、シリコーンゴム、スチレン・ブタジエンゴム、ブタジエンゴム、フッ素ゴム、あるいはブチルゴムなどがある。なお、ポリ塩化ビニル（ＰＶＣ）の可塑材として添加されるフタル酸エステルが含有されていない弾性材料または含有量が０．１重量％未満である弾性材料を用いることが望ましい。これらの弾性材料はフタル酸エステルの添加量が０．１重量％と極微量であってもまたは添加せずとも伸縮性を有し、防水キャップ１１に使用した場合にケーブル１２との密着性が良い。
【００１５】
上記の防水キャップ１１をケーブル１２の端部に装着するには、まず、防水キャップ１１の封止凹部２１へケーブル１２の端部を挿し込む。
【００１６】
次に、封止凹部２１に対して折り返されている防水キャップ１１の側面２２の折り返しを戻しながらケーブル１２へ被せる。側面２２の折り返しを戻すにつれて折り返し位置２３はキャップの長さ方向に変わっていく。すると、図２に示すように、ケーブル１２に対して、その端部を覆うように防水キャップ１１が装着され、側面２２がケーブル１２の外周面に密着する。なお、防水キャップ１１が装着されたら、側面２２の折り返しを全て戻して側面２２の全体がケーブル１２の外周面に密着するようにしてもよい。
【００１７】
側面２２が予め折り返されておらず、ケーブル１２の外径よりも側面２２の内径が小さい防水キャップでは、ケーブル１２の先端を封止凹部２１まで到達させる前に、側面２２の端部がケーブル１２の先端の外周面に密着してしまう。その摩擦によって、ケーブル１２を側面２２の内側に入れていくことが難しく、防水キャップ１１をケーブル１２の端部に装着することは極めて困難である。
【００１８】
これに対して、本実施形態に係る防水キャップ１１によれば、伸縮性を有する弾性材料から形成され、しかも、側面２２の折り返しを戻しながらケーブル１２の端部に被せられるので、ケーブル１２の外径が側面２２の内径よりも大きくても、極めて円滑にケーブル１２の端部に被せて装着することができる。
【００１９】
ケーブル１２の外径が防水キャップ１１の内径よりも少し大きくても、防水キャップ１１を伸ばしてケーブル１２に装着できるので、一つのサイズの防水キャップ１１で一定範囲の外径サイズのケーブル１２の端部に装着して端末を防水した状態に保護することができる。特に、伸縮性に優れたゴム等の弾性材料を用いれば、ケーブル１２の外周面との高い密着性を得ることができ、高い防水効果が得られる。
【００２０】
また、防水キャップ１１は、近年、化学物質の環境への影響等から使用が控えられる傾向にあるフタル酸エステルの含有量が０．１重量％未満である弾性材料から形成されているので、環境への負荷を抑えることができる。
【００２１】
なお、上記の防水キャップ１１は、側面２２が予めケーブル１２と反対側へ延在するように折り返された形態であったが、図３に示すように、筒状部２２がケーブル１２と反対側へ予め巻き込まれながら折り返された形態であっても良い。
【００２２】
この場合も、側面２２の折り返しを戻しながらケーブル１２の端部に被せられるので、ケーブル１２の外径が側面２２の内径よりも大きくても極めて円滑にケーブル１２の端部に被せて装着することができる。図３に示す折り返し部を巻き込んだ防水キャップ１１の方が図１に示す折り返した防水キャップ１１よりもケーブル１２に装着し易い。
【符号の説明】
【００２３】
１１：防水キャップ、１２：ケーブル、２１：封止凹部、２２：側面、２３：折り返し位置
【図１】
0003169863.tif 000003
【図２】
0003169863.tif 000004
【図３】
0003169863.tif 000005